(57)【特許請求の範囲】
【請求項１】
ドアと、該ドアが蝶番を介して開閉自在に蝶着されるドア枠とからなるドアユニットにおいて、ドアの蝶番側端面と、ドア枠のドアが蝶着される側の縦枠材のドア蝶番側端面に対向する内側面とのあいだに指挟み回避用の第一間隙を設け、該第一間隙を、ドアと前記縦枠材とのあいだの気密を保つための第一気密材で塞ぐ一方、前記ドア枠に、全閉したドア後側板面に対向するようにして形成されるドア後側板面対向面を、指挟みを回避すべく全閉状態のドア後側板面から第二間隙を存するよう離間させて設け、該ドア後側板面対向面には、全閉状態のドア後側板面に当接して第二間隙を塞いでドアと前記縦枠材とのあいだの気密を保つための第二気密材を、該塞ぎ状態から挟まれた指によって押し戻される状態に退避するようにして設けたドアユニット。
【発明の詳細な説明】
【０００１】
【発明の属する技術分野】
本発明は、住宅、マンション、ビル等の建築物の開口部に取付けられるドアユニットの技術分野に属するものである。
【０００２】
【従来の技術】
一般に、ドアと、該ドアが蝶番を介して開閉自在に蝶着されるドア枠とからなるドアユニットにおいて、ドア枠には、全閉状態のドア面（ドア平面）に対して開口部前後方向に対向するよう内方に向けて突出する戸当りが形成されるが、このものでは、ドアが全閉する少し前位置でドアの戸尻側端と戸当りとの間隙が小さくなって、この段階以降の閉鎖作動では指詰め（指を挟むこと）が防止されるが、これ以前の半開状態での指詰め防止機能はない。
【０００３】
【発明が解決しようとする課題】
そこで、実開昭４８−５４４３５号公報に示されるごとく、吊元側縦枠材とドアの蝶番側部位とのあいだに指挟み防止用の間隙を開けることが提唱されるが、このものでは、閉扉時、ドアと縦枠材とのあいだに指挟み防止用の大きな隙間がそのまま露呈されることになって不自然さがあるうえ、気密性に欠けることとなって問題があり、ここに本発明が解決しようとする課題があった。
【０００４】
【課題を解決するための手段】
本発明は、上記の如き実情に鑑み、これらの課題を解決することを目的として創作されたものであって、ドアと、ドアと、該ドアが蝶番を介して開閉自在に蝶着されるドア枠とからなるドアユニットにおいて、ドアの蝶番側端面と、ドア枠のドアが蝶着される側の縦枠材のドア蝶番側端面に対向する内側面とのあいだに指挟み回避用の第一間隙を設け、該第一間隙を、ドアと前記縦枠材とのあいだの気密を保つための第一気密材で塞ぐ一方、前記ドア枠に、全閉したドア後側板面に対向するようにして形成されるドア後側板面対向面を、指挟みを回避すべく全閉状態のドア後側板面から第二間隙を存するよう離間させて設け、該ドア後側板面対向面には、全閉状態のドア後側板面に当接して第二間隙を塞いでドアと前記縦枠材とのあいだの気密を保つための第二気密材を、該塞ぎ状態から挟まれた指によって押し戻される状態に退避するようにして設けたドアユニットある。
そして、この様にすることにより、ドアと縦枠材とのあいだに間隙を設けて指挟みが回避できるものでありながら該間隙が外部に露出しないようにできる。
【０００５】
【発明の実施の形態】
次に、本発明の第一の実施の形態を図１〜図８の図面に基づいて説明する。
図面において、１は躯体開口部に建付けられるドアユニットであって、該ドアユニット１は、躯体開口部に止着されるドア枠２、該ドア枠２に対して一側部（吊元側）が蝶番３を介して蝶着され、前方（図２の矢印Ａ方向）に開放されるドア４等の各種部材で構成されていること等は従来通りの構成となっている。
【０００６】
前記ドア枠２は、左右一対の縦枠材５、６、上枠材７、そして下枠材（沓摺）８とが矩形状に枠組み形成されるものであって、各枠材５、６、７、８のうち、蝶番３によってドア４が蝶着される側の右側縦枠材６と、ドア４の吊元側とのあいだに本発明が実施されている。
つまり、前記ドア４の左右方向幅は、縦枠材５、６の内側面５ａ、６ａの対向間よりも短い寸法設定となっており、ドア４の吊元側端面４ａと右側縦枠材６の内側面６ａとのあいだに指挟み回避用の第一間隙Ｓ１が設けられるように設定されている。ここで、ドア４を構成する前後一対の板面４ｂ、４ｃのうち、前側板面４ｂの吊元側縁部には、右側縦枠材６の内側面６ａに近接対向する延長部４ｄが形成されている。そして、ドア４の吊元側端面４ａと延長部４ｄとで形成されるコーナー部に、ゴム質弾性材からなる第一気密材９が止着されて前記第一間隙Ｓ１を塞ぐように設定されており、これによって、ドア吊元側端面４ａと内側面６ａとのあいだに指を挟んだままドア４が全閉したような場合に、第一気密材９が弾性変形することによって指の保護が計れるように設定されている。尚、本実施の形態において、第一気密材９が第一間隙Ｓ１を塞ぐことによって、ドア４と縦枠材６とのあいだの気密性を確保できるようになっている。
さらに、本実施の形態で用いられている蝶番３は、ドア４と右側縦枠材６とのあいだに間隙を存した状態で蝶着するため、一対の支持板３ａ、３ｂのうちドア４側に止着される支持板３ａには折曲部が形成されている。
【０００７】
一方、右側縦枠材６は、金属製の型材で前記内側面６ａとドア後側板面対向面６ｂとが一体形成されたものであり、該ドア後側板面対向面６ｂは、閉鎖状態のドア４の後側板面４ｃとのあいだに指挟み回避用の第二間隙Ｓ２が存する状態で後側板面４ｃに対向している。さらにドア後側板面対向面６ｂは、長手方向に長い開口６ｃが開設した凹陥状になっており、該凹陥状部に、第二気密材１０が出没自在（退避自在）に内嵌されている。この第二気密材１０は、凹陥状部に抜け止め状に内嵌される基台部１０ａと、該基台部１０ａの先端に抜け止め状に止着され後側板面４ｃに対向する先端部１０ｂとで構成されるが、先端部１０ｂは、前記第一気密材９と略同様のゴム質弾性材で形成されていて僅かに弾性変形するように設定されている。そして、第二気密材１０は、基台部１０ａが凹陥状部に内装された付勢弾機（板バネ）１１により凹陥状部から押出される方向に付勢されており、これによって、常時は付勢弾機１１の付勢力を受けて先端部１０ｂが凹陥状部から突出して、全閉した後側板面４ｃに当接して第二間隙Ｓ２を塞ぐ設定となっており、これによって第二間隙Ｓ２は、常時は第二気密材１０により塞がれることになって、不自然さが解消されるうえ、ドア４と縦枠材６とのあいだの気密性も確保できるようになっている。一方、後側板面４ｃとドア後側板面対向面６ｂとのあいだに指が挟まった状態でドア４が全閉したような場合では、第二気密材１０は挟まれた指によって押し戻される状態となり、これによって第二気密材１０が弾機１１の付勢力に抗してドア後側板面対向面６ｂ内に没入退避して指が怪我をしてしまうことを回避して指の保護が計れるように設定されている。
尚、図中５ｂは左側縦枠材５に設けられた気密材であって、前記右側縦枠材６に設けられた第二気密材１０と同様の構成となっている。また、７ａ、８ａは、左縦枠材５、上下の枠材７、８の戸当たりに設けられる気密材である。
【０００８】
叙述の如く構成された本発明の実施の形態において、ドア４を開放すると、ドア４の吊元側端部と右側縦枠材６とのあいだに大きな隙間が形成され、該部位に誤って指を差し込んでしまうような場合があるが、この場合に、指を差し込んだままドア４が全閉してしまったとしても、ドア４の吊元側端部と右側縦枠材６とのあいだには第一、第二間隙Ｓ１、Ｓ２が形成されて第一、第二気密材９、１０が設けられる構成となっているので、差し込まれた指が指挟み状態となって怪我することを防止できることになる。
【０００９】
このように、本発明が実施されたものにおいては、ドア４の吊元側端部とこれに対向する縦枠材６とのあいだに間隙を設けて指挟み回避をするものであるが、第一、第二間隙Ｓ１、Ｓ２は、常時はそれぞれ第一、第二気密材９、１０により塞がれることになって、不自然さが解消されるうえ、ドア４と縦枠材６とのあいだの気密性も確保できることになる。
【００１０】
尚、本発明は前記実施例に限定されることは勿論なく、ドア枠の縦枠材に設けられる気密材は、第一の実施の形態のごとく、ドア板面からの退避を、縦枠材に対して弾機を介して前後方向に出没することで行うのではなく、図５、６に示す第二の実施の形態の如く、気密材１２をドア枠１３に対して前後方向に揺動する状態で取付けると共に、気密材１２とドア枠１３とのあいだに弾機１４を介装して、常時は気密材１２をドア４側に付勢する一方で、ドア４と気密材１２とのあいだに異物の挟み込みがあったような場合では、弾機１４に抗して気密材１２が退避するように構成しても勿論良い。
さらには、図７、８に示す第三の実施の形態のごとく、縦戸枠１５に取付けられる気密材１６を、前後方向に長いゴム質弾性材で形成したものとして大きな弾性変形が得られるようにしたものを採用しても良く、この場合では、前記第一、第二の実施の形態のように気密材を戸当たりに対して退避自在に変位させる必要がなく、その分、部品点数を削減できるという利点がある。
【図面の簡単な説明】
【図１】ドア枠の組立状態を示す正面図である。
【図２】ドアユニットの横断面図である。
【図３】ドアユニットの要部の横断面図である。
【図４】ドアユニットの縦断面図である。
【図５】第二の実施の形態の横断面図である。
【図６】第二の実施の形態の要部の横断面図である。
【図７】第三の実施の形態の横断面図である。
【図８】第三の実施の形態の要部の横断面図である。
【符号の説明】
１    ドアユニット
２    ドア枠
３    蝶番
４    ドア
４ａ    吊元側端面
６    右側縦枠材
６ｂ    ドア後側板面対向面
９    第一気密材
１０    第二気密材
１１    付勢弾機
Ｓ１    第一間隙
Ｓ２    第二間隙
【図１】
0003603154.tif 000002
【図２】
0003603154.tif 000003
【図３】
0003603154.tif 000004
【図４】
0003603154.tif 000005
【図５】
0003603154.tif 000006
【図６】
0003603154.tif 000007
【図７】
0003603154.tif 000008
【図８】
0003603154.tif 000009